(57)【要約】      （修正有）【課題】個人認証手続きのわずらわしさや、かかるコスト、またそれに伴う情報の漏洩を防ぎ、また物品の輸送にかかるコストを低減させるオークションを行う。【解決手段】フランチャイズ及びそれに準ずる企業体はクレジット機能を持たせた会員資格及び利用許可証を発行する。オークションに於るこれ等を本人確認として利用する。又上記企業体を母体として，その企業体の店舗内のオークション会場に出品物を預託する。これにより，インターネットおよびそれに準ずるネットワークを利用したオークションでありながら、従来のオークションスタイルを踏襲しているビジネスモデルを構築する。【選択図】図１
2004206422.tif 000002
【特許請求の範囲】
【請求項１】
インターネットおよび、それに準ずるネットワークを併用し開催されるオークションにおいて、フランチャイズおよびそれに準ずる企業体（提携企業体を含む）の発行するクレジット機能、およびそれに準ずる機能を持たせた会員資格およびそれに準ずる利用許可証を利用し、また特定地域内を対象とした低リスクおよび低コストなオークションシステムを実現するビジネスモデルである。
【請求項２】
特定地域内を対象としてインターネットおよび、それに準ずるネットワークを併用し開催されるオークションにおいて、フランチャイズおよびそれに準ずる企業体（提携企業体を含む）の発行するクレジット機能、およびそれに準ずる機能を持たせた会員資格またはそれに準ずる利用許可証をオークションにおける本人確認として利用するシステム。
【請求項３】
特定地域内を対象としてインターネットおよび、それに準ずるネットワークを併用し開催されるオークションにおいて、フランチャイズおよびそれに準ずる企業体を母体とし、その企業体の店舗内のオークション会場に出品物を預託することで、その企業体の近隣地域性を利用し、取引に生じるコストを減じ、かつインターネットおよびネットワークを利用したオークションとかつてのオークションの利点を生かしたシステム。
【発明の詳細な説明】
【０００１】
【発明の属する技術分野】
ネットワークを利用したオークションにおいて、低コスト、安全、そして確実性を実現することに関する。
【０００２】
【従来の技術】
従来のネットワークを利用したオークションは、個人データを登録させて、その情報を認証に使用している。落札物品の支払いは代金引換郵便、銀行振込等で、落札物品の受け渡しは、出品者から落札者に直接発送される。
【０００３】
【発明が解決しようとする課題】
しかしながら、以上の従来技術では、以下にあげるような課題があった。
【０００４】
第１の問題点は、オークション参加時に本人確認としてネットワークを通じた個人情報の提出を必要とするため、ネットワークを通じて個人情報が第三者に流出してしまう危険性が少なくない点。
【０００５】
第２の問題点は、落札成立後に落札者と出品者が直接連絡して取引を行うため、二者が互いに直接住所・銀行口座等の個人情報を開示しあう必要があり、ネットワークを通じて、また取引相手等から個人情報が第三者に流出してしまう危険性が少なくない点。
【０００６】
第３の問題点は、落札成立後に落札者と出品者が直接連絡して取引を行うため、送金したのに出品物が届かない、実際に届いた品が落札者の描いていたものとは違っていた、届いた品物が全く出品物と違う、などのトラブルが生じる可能性がある点。
【０００７】
第４の問題点は、ネットワークを用いた入札であるため二者は地理的に離れている場合が多く、直接の現地取引はほぼ不可能であり決済手数料や物品の送料等のコストが避けられない点。
【０００８】
本発明の目的は、それらの危険性とコストを可能な限り軽減しようとすることである。
【０００９】
【課題を解決するための手段】
以上の課題を解決するために、請求項１の発明は、オークションにおける個人情報を、オークション主催者がクレジット機能をもった会員資格と対応させて電子情報管理、または使用することで安全性を高め、また特定地域に限ることで、物品の輸送等にかかる費用を減少させるためのビジネスモデルである。
【００１０】
請求項２の発明は、利用者がオークション主催者の店舗利用、オークション利用またはその企業体のその他の利用を行使する際において、会員資格を付与し、それと同時に利用者の個人情報とクレジット機能およびそれに準ずる情報を得て、その情報を自社専用の閉じたネットワーク内のみに保存し（この場合、利用者はクレジット番号などの個人情報をネットワーク上で入力しない為、クレジット番号などの個人情報が外部に漏れる可能性は極端に低い、また得た個人情報は企業側がリソースとして保持する。）、その会員資格と個人情報の相互の情報を本人確認に際して使うことで、安全かつ正確な本人確認を実現するシステム。
【００１１】
請求項３の発明は、オークション主催者が特定地域に店舗およびそれに準ずる充分な場所を確保できる企業体であることを利用して、出品者は近隣のオークション主催者が保持するオークション会場に物品を直接搬入し、請求項２による本人確認することで、オークションへの出品が成立する。請求項４による情報交換を経て、落札者が決定すると、落札者は地域内の最寄りのオークション主催者が保持するオークション会場へ直接物品を請求しに行き、請求項２による本人確認ののち、落札物品を手に入れるという特にオークションを特定地域に限ることで、物品の輸送費用を抑え、かつ落札予定者が実際に出品物を閲覧できるということを特徴とした物流システムである。
【００１２】
【発明の実施の形態】
まずオークションに参加する者は、フランチャイズおよびそれに準ずる企業体（提携企業体を含む）（以下、オークション主催者とする）の発行する会員資格を持っていなければならないとする。その会員資格にはクレジット機能、およびそれに準ずる機能が付加されており、クレジット機能の実現のため会員登録時には、運転免許証等の公文書により氏名・住所・生年月日の証明と、電話番号、銀行口座・銀行印の提出を求め、加えてオークション利用を希望する場合には常時連絡可能なメールアドレスの提示およびオークション利用のための任意のパスワードを求める。これらの情報をオークション主催者の会員情報データベース(会員番号、氏名、パスワード、住所、年齢、生年月日、常時連絡可能なメールアドレス、電話番号のレコードを保持する)に登録し、その会員番号が記された会員資格を会員に付与する。会員は、実際にオークションサービスを利用する場合、オークション主催者に、その会員資格を提示し、オークション主催者は会員資格に記載された内容によって本人確認を行う。
【００１３】
会員が出品を希望する場合は、オークション主催者の経営する店舗およびそれに準ずるオークション可能なスペースにおいて、オークション主催者の雇用した店舗内労働者が、出品物を持参した会員に対して会員資格の提示を求める。オークション主催者の経営する店舗およびそれに準ずるオークション可能なスペースにおいて、オークション主催者の雇用した店舗内労働者は、会員資格に記載された会員番号を端末に入力し、その会員番号はオークション主催者のサーバに送信される。サーバは入力された会員番号を会員情報データベース中から探しだして該当する会員番号の会員資格が有効であるかを判断し、結果を店舗の端末に参加資格の有無として伝える。
【００１４】
個人認証によって参加資格を有すると判断した場合、出品者に出品物名・出品価格・紹介文および備考といった出品情報を記入させ店舗に出品物を預託される。オークション主催者の経営する店舗およびそれに準ずるオークション可能なスペースにおいて、オークション主催者の雇用した店舗内労働者は、出品情報を端末に入力し、その情報はオークション主催者のサーバに送信され、サーバはその情報を競売状況データベース(会員番号、氏名、パスワード、電話番号、住所、常時連絡可能なメールアドレス、出品物、出品価格、備考のレコードを保持する)に登録する。
【００１５】
また、出品情報はオークション主催者のインターネット上のサーバにおいて閲覧可能である。このサーバは競売状況データベースを参照し、閲覧者が希望する特定地域の競売情報を返す。
【００１６】
もし、会員が入札を希望する場合、Ｗｅｂ上のフォームからオークション主催者の発行する会員資格に記載された会員番号と、その入会時に提出した利用パスワード、そして入札価格を入力する。フォームから送信されたデータを受け取ったサーバは、まず入力された会員番号を会員情報データベース中から探しだして該当する会員番号の会員資格が有効であるか、かつパスワードが合致するかを判断する。会員資格が有効であった場合、競売状況データベース中から該当出品物のデータを参照し、その出品物について会員が入力された入札価格が最高であった場合その入力価格を競売状況データベースへ登録、その時点においての一時的な落札権を得る。
【００１７】
オークション主催者のサーバは競売状況データベースを常時監視し、出品物が入札期限時刻に達していないか検知する。期限時刻に達した出品物について入札が行われていればその出品物の最高額入札者を落札者として決定し、落札処理に移る。もし期限時刻まで入札が行われなかった場合は落札不成立とし、オークション主催者は、出品物の引き取り要請を出品者にメールで通知する。出品者が承知すれば、オークション終了の手筈となる。
【００１８】
落札者が決定した場合の出品者の扱いは以下の通り。落札者が決定した場合、サーバは会員情報データベース(会員番号、氏名、パスワード、住所、年齢、生年月日、常時連絡可能なメールアドレス、電話番号のレコードを保持する)の中からその落札者の会員番号を探し出し、その会員のメールアドレスを取得する。その落札者の常時連絡可能なメールアドレスに落札決定の通知を送付する。メールを受け取った落札者はその情報に誤りがなければ、フランチャイズ会社の所有する店舗に落札商品を直接引き取りに行く。引き取り期限内に落札者が物品を引き取りに来店しなかった場合、落札者へメール等により督促を行い、それでも引き取りに現れない場合は、落札者変更手続きを取る。変更手続きの際は、まずその旨を出品者へメールにて送信し、出品者に出品取り下げまたは、オークション継続希望の権限をゆだねるものとする。
【００１９】
落札者が変更した場合、落札金額が変更される場合があることを考える。当初の落札金額にもっとも近い金額を提示した入札者を落札者(以後落札者とする) とし、サーバは会員情報データベースの中からその落札者の会員番号を検索し、その会員のメールアドレスを取得する。更にその落札者の常時連絡可能なメールアドレスに落札決定の通知メールを送付する。メールを受け取った落札者はその情報に誤りがなければ、オークション主催者の所有する店舗に落札商品を直接引き取りに行く。引き取り期限ないに落札者が物品を引き取りにこなかった場合、メールアドレスに警告メールを送信し、それでも引き取りに現れない場合は、再び、落札者変更手続きをとる。
【００２０】
落札者変更で、落札金額が変更された場合、出品者は次の条件を満たす場合に限り、出品を取り下げることができる：落札価格と変更後の落札価格に開きがある場合で、しかも出品者がその金額に納得できない場合。出品の取り下げの場合は、オークション主催者側にその旨をメールで送信し、取り下げが認められれば、出品物を直接店舗へ引き取りに行く。そうでない場合は、落札後の出品者の手続きを踏まえて、オークション終了の手筈となる。
【００２１】
【実施形態の効果】
この実施形態によれば、インターネットおよびそれに準じるネットワ-クを利用したオークションにおける以前までのリスクとコストを減じることが可能である。
【００２２】
【他の実施形態】
図４に示すように、大規模な企業体が自社独自の流通網を使えば、限定地域に限るインターネットおよびネットワークを使用したオークションでありながら、全国規模でのインターネットおよびネットワークを使用したオークションをすることも可能である。
【００２３】
【発明の効果】
以上説明したように、この発明によれば、インターネットおよびそれに準じるネットワークを利用したオークションを効率よく、また有用に活用性の高いものとして提供できる。
【００２４】
（発明が解決しようとする課題の内容と対応したものにして記述する）
【図面の簡単な説明】
【図1】この発明の全体図である。
【図2】この発明の入札時のやり取りを示す斜視図である。
(1)は端末から入力されるデータを示す。
(2)は、入力されるデータの送信を示す
(3)は、(2)のデータをデータベースに問い合わせることを示す。
(4)は、(3)の結果をサーバに返すことを示す。
(5)は、会員認証結果の送信を示す。
【図3】図3はオークション全体のフローチャートである。
【図4】図4は他の実施形態を示す斜視図である。
【図5】図5は従来のネットワークを用いたオークションの斜視図である。
【図１】
2004206422.tif 000003
【図２】
2004206422.tif 000004
【図３】
2004206422.tif 000005
【図４】
2004206422.tif 000006
【図５】
2004206422.tif 000007